(57)【特許請求の範囲】
【請求項１】
音声データ又は画像データを記憶する複数の個別ボックスと、各個別ボックス毎にパスワードを設定するパスワード設定手段とを有し、そのパスワード設定手段を介して設定されたパスワードと、音声データ又は画像データの出力時にパスワード設定手段から入力されたパスワードとの一致に基づいてそのパスワードにより特定される個別ボックスから音声データ又は画像データを出力する通信装置において、
前記パスワードを変更するための異なる複数のモードと、
その複数のモードの内から１つのモードを選択するモード選択手段とを備えることを特徴とする通信装置。
【請求項２】
前記複数のモードは、前記パスワードで特定される個別ボックスに記憶された音声データ又は画像データを消去した後に前記パスワードの変更を可能とする第１設定モード、既に設定されているパスワードを自由に変更可能な第２設定モード、及び、既に設定されているパスワードとパスワード設定手段を介して入力されるパスワードとが一致する場合にパスワードの変更を可能とする第３設定モードの内の２つの設定モードを包含し、その２つの設定モードの内から前記モード選択手段を介して１つの設定モードが選択されることを特徴とする請求項１記載の通信装置。
【発明の詳細な説明】
【０００１】
【発明の属する技術分野】
本発明は、音声データや画像データを一旦個別（親展）ボックスに記憶し、その個別ボックスに関して既に設定されたパスワードと音声データ、画像データの出力時に入力されたパスワードとの一致に基づき、パスワードで特定される親展ボックスに記憶された音声データ、画像データを出力する通信装置に関し、特に、パスワードを設定するに際して複数のパスワード設定モードの内から所望の１つの設定モードを選択可能とすることにより、必要に応じてプライバシーの保護性とパスワード変更の容易性との両立を図ることが可能な通信装置に関するものである。
【０００２】
【従来の技術】
従来より、通信装置、例えば、ファクシミリ装置の普及発達に伴い、ファクシミリデータ（音声データ及び画像データを含む）の出力時におけるプライバシー保護の重要性が高まってきており、これに基づき、所謂、親展機能を備えた各種のファクシミリ装置が提案されている。かかる親展機能を備えたファクシミリ装置においては、一般的に、電話回線を介して受信されたファクシミリデータを親展ボックスに記憶しておき、親展ボックス毎に設定されたパスワードとファクシミリデータの出力時に入力されたパスワードとが一致した場合に、そのパスワードにて特定される親展ボックスからファクシミリデータを出力するように構成されている。このように構成されたファクシミリ装置では、パスワードを知っている者だけがその者の親展ボックスに記憶されたファクシミリデータを出力できることとなり、これにより親展機能が実行されてプライバシーの保護が図られるものである。
【０００３】
このとき、親展機能を実現するに必要となるパスワードの設定方法については、従来より次のような設定方法が採用されている。即ち、第１の設定方法は、親展ボックスについて既に設定されているパスワードを自由に変更しながら設定する方法である。また、第２の設定方法は、親展ボックスについて既に設定されているパスワードと同一のパスワードの入力が行われた時にのみパスワードの変更を可能とする方法である。また、ファクシミリ装置については、前記第１設定方法又は第２設定方法の内から１つの設定方法が採用されている。
【０００４】
【発明が解決しようとする課題】
しかしながら、前記第１設定方法では、パスワードを自由に変更しつつ設定可能であることから、誰もが親展ボックスに記憶されたファクシミリデータを出力可能として親展ボックスを共用できるものの、一方、プライバシーの保護性に欠ける問題がある。また、前記第２設定方法では、既に設定されているパスワードとファクシミリデータの出力時に入力されるパスワードとが一致する場合にのみファクシミリデータの出力を可能とすることから、使用者のプライバシーの保護性に優れているものの、使用者がパスワードを忘れてしまった場合には、親展ボックス内のファクシミリデータを出力できないこととなり、そのメンテナンスが困難となる問題がある。このように、前記各パスワード設定方法には一長一短がある。
【０００５】
このような場合、パスワードの設定につき複数の設定モードを設けておき、必要に応じてパスワードの設定方法を選択できれば、プライバシーの保護性とパスワード変更の容易性との両立を図ることが可能となり、非常に便利である。
【０００６】
本発明は、前記従来の問題点を解消するためになされたものであり、複数のパスワード設定モードを設けることにより、必要に応じて所望のパスワード設定モードを選択可能とし、もってプライバシーの保護性とパスワード変更の容易性との両立を図ることが可能な通信装置を提供することを目的とする。
【０００７】
【課題を解決するための手段】
前記目的を達成するため請求項１に係る通信装置は、音声データ又は画像データを記憶する複数の個別ボックスと、各個別ボックス毎にパスワードを設定するパスワード設定手段とを有し、そのパスワード設定手段を介して設定されたパスワードと、音声データ又は画像データの出力時にパスワード設定手段から入力されたパスワードとの一致に基づいてそのパスワードにより特定される個別ボックスから音声データ又は画像データを出力する通信装置において、前記パスワードを変更するための異なる複数のモードと、その複数のモードの内から１つのモードを選択するモード選択手段とを備えることを特徴とする。
【０００８】
請求項１の通信装置では、モード選択手段により、パスワードを変更するための異なる複数のモードの内から１つのモードを選択することを可能としたので、必要に応じて所望のモードを選択することにより、プライバシーの保護性とパスワード変更の容易性との両立を図ることが可能となる。例えば、プライバシーの保護性を優先させる場合には、その意図に合致するモードを選択すればよく、また、個別ボックスを共用する場合には、その意図に合致するモードを選択すればよい。
【０００９】
【００１０】
更に、請求項２に係る通信装置は、請求項１の通信装置において、前記パスワードで特定される個別ボックスに記憶された音声データ又は画像データを消去した後に前記パスワードの変更を可能とする第１設定モード、既に設定されているパスワードを自由に変更可能な第２設定モード、及び、既に設定されているパスワードとパスワード設定手段を介して入力されるパスワードとが一致する場合にパスワードの変更を可能とする第３設定モードの内の２つの設定モードを包含し、その２つの設定モードの内から前記モード選択手段を介して１つの設定モードが選択されることを特徴とする。かかる請求項２の通信装置では、前記第１乃至第３設定モードの内の２つを包含し、モード選択手段を介してその２つの設定モードから１つの設定モードを選択可能であることから、各設定モードを併存させることにより、プライバシーの保護性とパスワード変更の容易性との両立を図ることが更に容易となる。
【００１１】
【００１２】
【００１３】
【発明の実施の形態】
以下、本発明に係る通信装置について、本発明をファクシミリ装置につき具体化した実施形態に基づき図面を参照しつつ詳細に説明する。先ず、本実施形態に係るファクシミリ装置の概略構成について図１に基づき説明する。図１はファクシミリ装置の外観斜視図である。
【００１４】
図１において、ファクシミリ装置１は装置本体２を有し、装置本体２の右側面には、電源コード３及び子機（図示せず）と通話するためのアンテナ４が付設されている。また、装置本体２の上面には操作パネルユニット５が配設されており、かかる操作パネルユニット５には液晶ディスプレイ６が配設されるとともに、各種のボタン群が配設されている。尚、各ボタンについては後述する。
【００１５】
また、操作パネルユニット５の後方位置には記録用紙を積層した状態でスタックする用紙スタッカ７が設けられており、更に、用紙スタッカ７の後方位置には用紙サポート８が配置されている。尚、装置本体２の右側には電話器載置部９が設けられており、電話器載置部９上には電話器１０が載置される。
【００１６】
次に、前記操作パネルユニット５上に配置されたボタン群の機能について図２に基づき説明する。図２は操作パネルユニット５の平面図である。図２において、操作パネルユニット５上で左側位置には、ダイアル入力を行うためのダイアルボタン１１が配置されている。かかるダイアルボタン１１には、「１」乃至「０」の数値ボタン、アスタリスクボタン１２、及び、シャープボタン１３が包含されている。ここに、各数値ボタンは、前記ダイアル機能に加えて後述するパスワードの設定時に使用される。また、アスタリスクボタン１２は、後述するように、パスワードを設定するに際して第１設定モードを選択するボタンであり、更に、シャープボタン１３は、同様に、パスワードを設定する際に第３設定モードを選択するボタンである。
【００１７】
また、操作パネルユニット５の右上側位置には、パスワード設定ボタン１４が設けられており、このパスワード設定ボタン１４は、新たにパスワードを設定したり、既に設定されているパスワードを変更する際に押下される。更に、パスワード設定ボタン１４に並列してセットボタン１５が配置されており、このセットボタン１５はパスワードを設定するに際して第２設定モードを選択するボタンである。各パスワード設定ボタン１４、セットボタン１５の下側位置には、後述するように、電話回線２５（図３参照）を介して受信された音声データや画像データを記憶する複数の個別ボックスの内から、１つの個別ボックスを選択するボックス選択ボタン１６が設けられている。ここでは、５つの各個別ボックスに対応して、ボックス選択ボタン１６Ａ乃至１６Ｅが配置されている。また、各ボックスの用途に応じて各ボックス毎にパスワードの設定モードを選択できる。尚、操作パネルユニット５には、ファクシミリ送信をスタートするスタートボタンＰ等のファクシミリ装置１として必要な各種のボタンが配置されている。
【００１８】
続いて、前記ファクシミリ装置１の制御系について図３に基づき説明する。図３はファクシミリ装置１の制御系を示すブロック図である。図３において、ファクシミリ装置１の制御系は、ＣＰＵを核として構成された制御部１７を有する。制御部１７には、ＲＯＭ１８及びＲＡＭ１９が接続されている。ここに、ＲＯＭ１８は、後述するパスワード設定処理プログラム、その他ファクシミリ機能を実行するに必要な各種のプログラムを記憶し、また、ＲＡＭ１９は、ＣＰＵを介して演算された各種のデータを一時的に記憶するものである。ここに、ＲＡＭ１９には、図３に示すように、電話回線を介して受信される音声データや画像データを記憶する複数の個別ボックス１９Ａ乃至１９Ｅが設けられている。各個別ボックス１９Ａ乃至１９Ｅは、前記操作パネルユニット５に設けられた各ボックス選択ボタン１６Ａ乃至１６Ｅにそれぞれ対応しており、各個別ボックス１９Ａ乃至１９Ｅ毎にパスワードを設定する際には、所望の個別ボックス１９Ａ等に対応するボックス選択ボタン１６Ａ等が押下される。
【００１９】
また、制御部１７には、液晶ディスプレイ（ＬＣＤ）６を有する操作パネルユニット５、用紙スタッカ７から装置本体２内に送給された原稿の文字、図形等を読み取るための読取スキャナを含む読取ユニット２０が接続されている。更に、制御部１７には、カッタ駆動モータを介してカッタを駆動して記録紙をカットする記録紙カッタユニット２１、電話回線を介して受信された画像データを記録紙上に印字する印字ヘッドを含む記録ユニット２２、及び、印字ヘッドを駆動する駆動機構、記録紙の送り制御を行う記録紙送り機構等を含む駆動ユニット２３が接続されている。
【００２０】
更に、制御部１７には、電話機１０と共にＮＣＵ（ Network Control Unit ）２４を介して電話回線２５が接続されており、また、スピーカ２６、電源２７が接続されている。尚、スピーカ２６は、前記ＲＡＭ１９における各個別ボックス１９Ａ等に記憶された音声データを再生する際に使用されるものである。
【００２１】
前記のように構成されたファクシミリ装置１において、ファクシミリ送信を行う場合には、用紙スタッカ７に送信原稿をセットするとともに、ダイアルボタン１１により送信先のファクシミリ番号を入力した後、操作パネルユニット５上のスタートボタンＰを押下する。これにより、原稿の画像データが読取ユニット２０を介して読み取られるとともに、ＮＣＵ２４、電話回線２５を介して送信相手先に画像データが送信される。また、画像データが送信されて来た際には、その画像データが電話回線２５、ＮＣＵ２５を介して受信され、制御部１７は、その受信された画像データを、記録ユニット２２の印字ヘッド及び駆動ユニット２３を駆動制御しながら記録紙上に印字させるとともに、印字終了後記録紙カッタユニット２１を介して記録紙をカットする。また、音声データが送信された場合には、電話回線２５、ＮＣＵ２４を介して電話機１０により交信される。
【００２２】
このとき、相手先から送信された画像データや音声データ中に、ＲＡＭ１９における各個別ボックス１９Ａ等を特定するボックス信号が含まれている場合、制御部１７は、画像データ、音声データをそのボックス信号に対応する個別ボックス１９Ａ等に記憶させる。この後、ダイアルボタン１１等を介して入力された各個別ボックス１９Ａ毎に設定されたパスワード、及び、ボックス選択データが、既に設定されているパスワード及びボックス選択データと一致した場合には、その個別ボックス１９Ａ等に記憶されている画像データが前記のように記録ユニット２２の印字ヘッドを介して記録紙上に記録されるとともに、音声データがスピーカ２６を介して発音される。
【００２３】
次に、前記のように構成されたファクシミリ装置１において行われるパスワードの設定処理について図４に基づき説明する。図４はパスワード設定処理プログラムのフローチャートである。かかる設定処理は、操作パネルユニット５に設けられたパスワード設定ボタン１４が押下されることに基づきスタートされる。先ず、ステップ（以下、Ｓと略記する）１において、既に設定されているパスワードが、前記第１設定モード、第２設定モード、及び、第３設定モードの３つの設定モードの内いずれの設定モードで設定されているか判断される。ここに、第１設定モードはアスタリスクボタン１２を使用して設定されるモード、第２設定モードはセットボタン１５を使用して設定されるモード、また、第３設定モードはシャープボタン１３を使用して設定されるモードである。
【００２４】
尚、第１設定モードを介してパスワードが設定されている場合にはアスタリスクボタン１２に基づくデータが既に設定されているパスワード中に含まれ、第２設定モードを介してパスワードが設定されている場合にはセットボタン１５に基づくデータが既に設定されているパスワードに含まれ、また、第３設定モードを介してパスワードが設定されている場合にはシャープボタン１３に基づくデータが既に設定されているパスワードに含まれている。従って、前記Ｓ１における判断は、既に設定されているパスワードデータ中に、アスタリスクボタン１２のデータ、セットボタン１５のデータ、又は、シャープボタン１３のデータのいずれのデータがパスワード中に含まれているかを認識することにより行われる。
【００２５】
前記Ｓ１において、パスワードが第１設定モードに基づき設定されていると判断された場合（Ｓ１：第１設定モード）にはＳ２に移行し、また、パスワードが第２設定モードに基づき設定されていると判断された場合（Ｓ１：第２設定モード）にはＳ３に移行し、更に、パスワードが第３設定モードに基づき設定されていると判断された場合（Ｓ１：第３設定モード）にはＳ４に移行する
ここで、先ず、パスワードが第１設定モードにて設定された場合についてＳ２以下の処理を説明する。Ｓ２においては、電話回線２５を介して受信された音声データや画像データのメッセージが前記ＲＡＭ１９の個別ボックス１９Ａ等に記憶されているかどうか判断される。メッセージが存在しない場合（Ｓ２：無）には直接Ｓ７に移行する一方、メッセージが存在する場合（Ｓ２：有）には、Ｓ５にて液晶ディスプレイ６上に「メッセージガショウキョサレマス（メッセージが消去されます）」の旨が所定時間表示される。この後、セットボタン１５を押下すると、続くＳ６において、「オンセイ：ＸＸ  ファックス：ＹＹ」の旨が液晶ディスプレイ６上に所定時間表示される。ここに、「ＸＸ」は音声メッセージの件数、「ＹＹ」はファックスメッセージの件数を示す。この後、セットボタン１５が押下されるとＳ７に移行する。
【００２６】
Ｓ７においては、液晶ディスプレイ６上に「パスワードヲカキカエマスカ？（パスワードを書き換えますか？）」の旨が表示された後、続くＳ８では、アスタリスクボタン１２が押下されたかどうか判断される。アスタリスクボタン１２が押下された場合（Ｓ８：ＹＥＳ）にはＳ１０に移行する。一方、アスタリスクボタン１２が押下されていない場合（Ｓ８：ＮＯ）にはＳ９にて所定時間が経過したかどうか判断され、所定時間が経過していない場合（Ｓ９：ＮＯ）にはＳ８に戻って待機状態となり、また、所定時間が経過した場合（Ｓ９：ＹＥＳ）には処理を終了する。
【００２７】
Ｓ１０においては、既に設定されているパスワードで特定される個別ボックス１９Ａ等に記憶されている全てのメッセージ（音声メッセージ及び画像メッセージ）が、その個別ボックスから消去される。この結果、前記のように第１設定モード下で設定されたパスワードを所有する使用者以外の他人がそのパスワードを変更しようとしてアスタリスクボタン１２を押下した場合には、パスワードにて特定される個別ボックス１９Ａ等に記憶された全てのメッセージが消去されることとなり、これによりいずれのメッセージもスピーカ２６や記録ユニット２２を介して出力されることがなくなるので、パスワードを所有する使用者のプライバシーは確実に保護されるものである。Ｓ１１においては、パスワード中のアスタリスクボタン１２に基づくデータがリセットされ、この後、Ｓ３に移行する。
【００２８】
次に、前記Ｓ１にてパスワードが第２設定モードに基づき設定されていると判断された場合（Ｓ１：第２設定モード）の処理について説明する。尚、この時点では、各個別ボックス９Ａ等の内いずれの個別ボックスについてパスワードを設定するかがボックス選択ボタン１６を介して選択されているものとする。先ず、Ｓ３において、液晶ディスプレイ６に「パスワードセッテイ（設定）  パスワード：ＸＸＸＸ」が表示され、使用者に対してパスワードの入力が促される。ここに、「ＸＸＸＸ」は使用者により入力されるパスワードが４桁のパスワードであることを意味し、使用者はその表示に従って４桁のパスワードをダイアルボタン１１を介して入力することとなる。
【００２９】
この後、Ｓ１２においては、アスタリスクボタン１２、セットボタン１５、又は、シャープボタン１３のいずれのボタンが押下されたか判断される。アスタリスクボタン１２が押下された場合（Ｓ１２：アスタリスクボタン）にはＳ１３にてパスワード中にアスタリスクボタンに基づくデータをセットした後処理を終了する。また、セットボタン１５が押下された場合（Ｓ１２：セットボタン）にはＳ１４にてパスワード中にセットボタンに基づくデータをセットした後処理を終了する。更に、シャープボタン１３が押下された場合（Ｓ１２：シャープボタン）にはＳ１５にてパスワード中にシャープボタンに基づくデータをセットした後処理を終了する。
【００３０】
前記したところから明らかなように、既に設定されているパスワードが第１設定モードに基づき設定されている場合には、Ｓ１、Ｓ２乃至Ｓ１１の処理を介してパスワードの変更が行われる際に、そのパスワードにて特定される個別ボックス１９Ａ等に記憶されている全てのメッセージ（音声メッセージ及びファクシミリメッセージ）が消去されることとなり、この後、Ｓ３、Ｓ１２乃至Ｓ１５の処理を介してパスワードの変更が可能となる。従って、第１設定モード下で設定されたパスワードを所有する使用者以外の他人がそのパスワードを変更しようとしてアスタリスクボタン１２を押下した場合には、パスワードにて特定される個別ボックス１９Ａ等に記憶された全てのメッセージが消去されることとなり、これによりいずれのメッセージもスピーカ２６や記録ユニット２２を介して出力されることがなくなって、パスワードを所有する使用者のプライバシーは確実に保護される。
【００３１】
また、既に設定されているパスワードが第２設定モードに基づき設定されている場合には、Ｓ１、Ｓ３、Ｓ１２乃至Ｓ１５の処理を介してパスワードを自由に変更することが可能となる。これにより、そのパスワードにて特定される個別ボックス１９Ａ等を複数の使用者間で共用してオープンな個別ボックスとして使用することが可能となる。
【００３２】
次に、前記Ｓ１にてパスワードが第３設定モードに基づき設定されていると判断された場合（Ｓ１：第３設定モード）の処理について説明する。この場合、先ず、Ｓ４にて液晶ディスプレイ６上に「フルイパスワードヲニュウリョクシテクダサイ（古いパスワードを入力して下さい）」の旨が表示される。使用者はかかる表示に従って既に設定されている古いパスワードをダイアルボタン１１を介して入力することとなる。続く、Ｓ１６においては、既に設定されている古いパスワードとＳ４で入力されたパスワードとが一致するかどうか判断される。両方のパスワードが一致する場合（Ｓ１６：ＹＥＳ）には前記Ｓ３に移行して、前記と同様のパスワード変更処理が行われる。一方、両方のパスワードが一致しない場合（Ｓ１６：ＮＯ）には、Ｓ１７にて所定時間経過したかどうか判断される。所定時間経過していない場合（Ｓ１７：ＮＯ）にはＳ４に戻って待機状態となり、また、所定時間が経過した場合（Ｓ１７：ＹＥＳ）には処理を終了する。
【００３３】
前記したように、既に設定されているパスワードが第３設定モードに基づき設定されている場合には、Ｓ１、Ｓ４、Ｓ１６、Ｓ１７、Ｓ３、Ｓ１２乃至Ｓ１５の処理を介して、既に設定されているパスワードとＳ４にて入力されたパスワードとが一致したときのみパスワードの変更が可能となる。かかる第３設定モードの場合が最もプライバシーの保護性に優れている。
【００３４】
以上詳細に説明した通り本実施形態に係るファクシミリ装置１では、操作パネルユニット５に配置された各ボタンを介してパスワードを設定する場合、アスタリスクボタン１２、セットボタン１５、及び、シャープボタン１３を選択的に押下することにより、それぞれ第１設定モード、第２設定モード、第３設定モードを選択することを可能としたので、必要に応じて所望のパスワード設定モードを選択することにより、プライバシーの保護性とパスワード変更の容易性との両立を図ることができる。例えば、プライバシーの保護性を優先させる場合には、その意図に合致する第１設定モード又は第３設定モードを選択すればよく、また、個別ボックス１９Ａ等を共用する場合には、その意図に合致する第２設定モードを選択すればよい。
【００３５】
また、アスタリスクボタン１２を介して第１設定モードが選択された場合には、既に設定されているパスワードの変更時に、そのパスワードにて特定される個別ボックス１９Ａ等に記憶された音声データ又は画像データのメッセージは全て消去されることから、その個別ボックスの使用者以外の他人がパスワードを変更する際に、個別ボックス１９Ａ等内の音声データ又は画像データが他人に漏れてしまうことを確実に防止することができる。更に、セットボタン１５を介して第２設定モードが選択された場合には、パスワードを自由に変更することが可能となり、これにより、そのパスワードにて特定される個別ボックス１９Ａ等を複数の使用者間で共用してオープンな個別ボックスとして使用することが可能となる。また、シャープボタン１３を介して第３設定モードが選択された場合、既に設定されているパスワードと新たに入力されたパスワードとが一致したときのみパスワードの変更が可能となり、かかる第３設定モードの場合が最もプライバシーの保護性に優れている。
【００３６】
尚、本発明は前記実施形態に限定されるものではなく、本発明の要旨を逸脱しない範囲内で種々の改良、変形が可能であることは勿論である。前記実施形態に係るファクシミリ装置１においては、アスタリスクボタン１２、セットボタン１５、シャープボタン１３を介してそれぞれ第１設定モード、第２設定モード、第３設定モードを選択可能に構成しているが、全ての設定モードを選択可能とする必要はなく、例えば、各３つの設定モードの内選択的に２つの設定モードを備えて、その２つの設定モード内からいずれか１つの設定モードを選択できるように構成してもよい。また、第１設定モードのみを備える構成にし、アスタリスクボタン１２を介して第１設定モードの実行を行うようにしてもよい。
【００３７】
【発明の効果】
以上説明した通り、請求項１に係る通信装置では、モード選択手段により、パスワードを変更するための異なる複数のモードの内から１つのモードを選択することを可能としたので、必要に応じて所望のモードを選択することにより、プライバシーの保護性とパスワード変更の容易性との両立を図ることが可能となる。例えば、プライバシーの保護性を優先させる場合には、その意図に合致するモードを選択すればよく、また、個別ボックスを共用する場合には、その意図に合致するモードを選択すればよい。
【００３８】
【００３９】
更に、請求項２に係る通信装置では、第１乃至第３設定モードの内の２つを包含し、モード選択手段を介してその２つの設定モードから１つの設定モードを選択可能であることから、各設定モードを併存させることにより、プライバシーの保護性とパスワード変更の容易性との両立を図ることが更に容易となる。
【００４０】
【００４１】
以上の通り本発明は、複数のパスワード設定モードの内から必要に応じて所望のパスワードの設定モードを選択可能とし、もってプライバシーの保護性とパスワード変更の容易性との両立を図ることが可能な通信装置を提供することができる。
【図面の簡単な説明】
【図１】  ファクシミリ装置の外観斜視図である。
【図２】  操作パネルユニットの平面図である。
【図３】  ファクシミリ装置の制御系を示すブロック図である。
【図４】  パスワード設定処理プログラムのフローチャートである。
【符号の説明】
１                  ファクシミリ装置
５                  装置パネルユニット
６                  液晶ディスプレイ
１１                ダイアルボタン
１２                アスタリスクボタン
１３                シャープボタン
１４                パスワード設定ボタン
１５                セットボタン
１６                ボックス選択ボタン
１７                制御部
１８                ＲＯＭ
１９                ＲＡＭ
１９Ａ乃至１９Ｅ    個別ボックス
２４                ＮＣＵ
２５                電話回線
２６                スピーカ
【図１】
0004026186.tif 000002
【図２】
0004026186.tif 000003
【図３】
0004026186.tif 000004
【図４】
0004026186.tif 000005